(57)【要約】【目的】本発明は、無線伝送、特にマルチメディアサービス等の時間と共に変化する容量の必要度を伴うサービスの伝送のアレンジメントおよび実行を効果的に行うことができる無線システムを提供することを目的とする。【構成】ベースステーションＢＳは、送信手段または受信手段に対する変調および復調を特定する各伝送容量を変化するために無線インターフェイスＣＯＭａの可変パラメータＴａ，Ｆａを予め決定することを特徴とする。それらのパラメータは遠隔ステーションＭＳａによって所望される要求された伝送容量ＣＡＰｒおよびそのベースステーションのフィールド範囲内の自由な伝送容量ＣＡＰ１の決定に基づいてベースステーションＢＳにおいて計算され、それによって送信手段および受信手段が調整される。【選択図】  図１
2005102326.tif 000002
【特許請求の範囲】
【請求項１】
無線インターフェイス（ＣＯＭａ，ＣＯＭｂ，ＣＯＭｃ）を介して加入者データを無線伝送するための送信手段（ＭＯＤ，ＵＰ）および受信手段（ＤＷＮ，ＤＥＭ）を含む、少なくとも１つの無線ベーステーション（ＢＳ）および遠隔地無線ステーション（ＭＳａ，ＭＳｂ，ＭＳｃ）を備える無線システム（ＭＲＳ）であって、
無線ベーステーション（ＢＳ）はそれぞれの伝送容量を、遠隔地無線ステーション（ＭＳａ，ＭＳｂ，ＭＳｃ）の通信の要求に従い、そしてこの無線ベーステーション（ＢＳ）の無線放送領域（ＲＣ）内の既存の無線伝送の監視に従い変化させ、
この無線システムにおいて無線ベースステーション（ＢＳ）は、それぞれの伝送容量を変化させるために無線インターフェイス（ＣＯＭａ，ＣＯＭｂ，ＣＯＭｃ）の可変パラメータを決定し、そして送信手段（ＭＯＤ，ＵＰ）および受信手段（ＤＷＮ，ＤＥＭ）に対する変調および復調を特定し、
少なくとも無線ベーステーション（ＢＳ）において送信手段（ＭＯＤ，ＵＰ）および受信手段（ＤＷＮ，ＤＥＭ）は異なる伝送方法に対応する無線送信について設定可能であることを特徴とする無線システム（ＭＲＳ）。
【請求項２】
無線インターフェイス（ＣＯＭａ，ＣＯＭｂ，ＣＯＭｃ）を介し少なくとも１つの多重アクセス方法に従い加入者データを無線伝送するための送信手段（ＭＯＤ，ＵＰ）および受信手段（ＤＷＮ，ＤＥＭ）を含む少なくとも１つの無線ベーステーション（ＢＳ）および遠隔地無線ステーション（ＭＳａ，ＭＳｂ，ＭＳｃ）を備える無線システム（ＭＲＳ）であって、
無線ベーステーション（ＢＳ）はそれぞれの伝送容量を、遠隔地無線ステーション（ＭＳａ，ＭＳｂ，ＭＳｃ）の通信の要求に従い、そしてこの無線ベーステーション（ＢＳ）の無線放送領域（ＲＣ）内の既存の無線伝送の監視に従い変化させ、
この無線システムにおいて無線ベースステーション（ＢＳ）は、遠隔地無線ステーション（ＭＳａ，ＭＳｂ，ＭＳｃ）に、無線インターフェイス（ＣＯＭａ，ＣＯＭｂ，ＣＯＭｃ）に関するＦＤＭＡ周波数（Ｆａ）および／またはＣＤＭＡコード（Ｃｃ１）を特定する可変パラメータを決定することにより、少なくとも１つの多重アクセス方法に従う無線伝送のために可変チャンネル容量（伝送容量）を有する無線チャンネルを割り当て、
少なくとも無線ベーステーション（ＢＳ）において送信手段（ＭＯＤ，ＵＰ）および受信手段（ＤＷＮ，ＤＥＭ）は異なる伝送方法に対応する無線送信について設定可能であることを特徴とする無線システム（ＭＲＳ）。
【請求項３】
無線伝送のために無線ベースステーション（ＢＳ）はさらに、信号符号化および復号化をそれぞれ特定する無線インターフェイス（ＣＯＭａ，ＣＯＭｂ，ＣＯＭｃ）の可変パラメータを決定することにより、送信手段（ＭＯＤ，ＵＰ）において可変信号処理を行ないそして受信手段（ＤＷＮ，ＤＥＭ）において可変信号処理を行なうことを特徴とする請求項１または２記載の無線システム（ＭＲＳ）。
【請求項４】
各遠隔地無線ステーション（ＭＳａ）はその送信手段（ＭＯＤ，ＵＰ）に接続された制御回路（ＣＴＲ）を含み、それによって加入者データの無線伝送のための所望の伝送容量（ＣＡＰｒ）に関する要求の信号を送信し、そして無線ベースステーション（ＢＳ）はその受信手段（ＤＷＮ）に接続された監視回路（ＡＮＡ）を含み、それによって無線伝送のために予め定められた周波数範囲内でフリー伝送容量（ＣＡＰ１）を決定することを特徴とする請求項１または２記載の無線システム（ＭＲＳ）。
【請求項５】
ベースステーション（ＢＳ）はその送信手段および受信手段に接続された評価回路（ＲＣＣ）を含み、それによって、要求する各遠隔地無線ステーション（ＭＳａ）に対して、所望の伝送容量（ＣＡＰｒ）の割当てのために無線インターフェイス（ＣＯＭａ）の少なくとも１つの可変パラメータ（Ｔａ，Ｆａ）を決定しそして変化させ、かかる方法により最小のそして可能性が最小のフリー伝送容量（ＣＡＰ１）が確保され、そして評価回路（ＲＣＣ）によって無線ベースステーション（ＢＳ）はこれらの可変パラメータ（Ｔａ，Ｆａ）に対する送信手段および受信手段を設定し、そして要求する遠隔地無線ステーション（ＭＳａ）に対しそれの送信および受信手段を設定するためにこれらの可変パラメータ（Ｔａ，Ｆａ）を送信することを特徴とする請求項１または２記載の無線システム（ＭＲＳ）。
【請求項６】
少なくとも１つの無線通信サービス（ＴＥＬ，ＦＡＸ，ＶＩＤＥＯ）を実行するために、遠隔地無線ステーション（ＭＳａ）は制御回路（ＣＴＲ）に接続された入出力装置（Ｌ，Ｄ，Ｍ，Ｋ）を含み、それにより加入者はこの無線通信サービス（ＦＡＸ）を要求しそして使用し、制御回路（ＣＴＲ）は無線通信サービス（ＦＡＸ）に関し加入者が要求する最小品質に基づき、および／または入出力装置におけるエラーのない信号処理に必要である最小伝送容量に基づき、所望の伝送容量（ＣＡＰｒ）を決定することを特徴とする請求項４記載の無線システム（ＭＲＳ）。
【請求項７】
遠隔地無線ステーション（ＭＳａ）は、制御回路（ＣＴＲ）が加入者データの情報内容の変化に基づいて決定した所望の伝送容量（ＣＡＰｒ）を連続的に要求することを特徴とする請求項４記載の無線システム（ＭＲＳ）。
【請求項８】
無線インターフェイス（ＣＯＭａ，ＣＯＭｂ，ＣＯＭｃ）を介して無線ベースステーション（ＢＳ）と遠隔地無線ステーション（ＭＳａ，ＫＳｂ，ＭＳｃ）との間において加入者データを無線伝送するための送信手段（ＭＯＤ，ＵＰ）および受信手段（ＤＷＮ，ＤＥＭ）を含む無線ベースステーション（ＢＳ）であって、
無線ベースステーション（ＢＳ）は、遠隔地無線ステーション（ＭＳａ，ＭＳｂ，ＭＳｃ）の通信の要求に従い、そしてベースステーション（ＢＳ）の無線放送領域（ＲＣ）における既存の無線伝送の監視に基づいて、それぞれの伝送容量を変化させ、
無線ベースステーション（ＢＳ）はそれぞれの伝送容量を変化させるために、無線インターフェイス（ＣＯＭａ、ＣＯＭｂ，ＣＯＭｃ）の可変パラメータを決定し、これらは送信手段（ＭＯＤ，ＵＰ）および受信手段（ＤＷＮ，ＤＥＭ）の変調および復調について特定し、
少なくとも無線ベーステーション（ＢＳ）において送信手段（ＭＯＤ，ＵＰ）および受信手段（ＤＷＮ，ＤＥＭ）は異なる伝送方法に対応する無線送信について設定可能であることを特徴とする無線ベースステーション（ＢＳ）。
【請求項９】
無線インターフェイス（ＣＯＭａ，ＣＯＭｂ，ＣＯＭｃ）を介し、少なくとも１つの多重アクセス方法に従い、無線ベースステーション（ＢＳ）と遠隔地無線ステーション（ＭＳａ，ＫＳｂ，ＭＳｃ）との間において、加入者データを無線伝送するための送信手段（ＭＯＤ，ＵＰ）および受信手段（ＤＷＮ，ＤＥＭ）を含む無線ベースステーション（ＢＳ）であって、
無線ベースステーション（ＢＳ）は、遠隔地無線ステーション（ＭＳａ，ＭＳｂ，ＭＳｃ）の通信の要求に従い、および無線ベースステーション（ＢＳ）の無線放送領域（ＲＣ）における既存の無線伝送の監視に従い、それぞれの伝送容量を変化させ、
無線ベースステーション（ＢＳ）は、少なくとも１つの多重アクセス方法に従う無線伝送のために、無線インターフェイス（ＣＯＭａ，ＣＯＭｂ，ＣＯＭｃ）に関するＦＤＭＡ周波数（Ｆａ）および／またはＣＤＭＡコード（Ｃｃ１）を特定する可変パラメータを決定することにより、遠隔地無線ステーション（ＭＳａ，ＫＳｂ，ＭＳｃ）に対し可変チャンネル容量（伝送容量）を有する無線チャンネルを割り当て、
少なくとも無線ベーステーション（ＢＳ）において送信手段（ＭＯＤ，ＵＰ）および受信手段（ＤＷＮ，ＤＥＭ）は異なる伝送方法に対応する無線送信について設定可能であることを特徴とする無線ベースステーション（ＢＳ）。
【請求項１０】
無線ベースステーションは、遠隔地無線ステーション（ＭＳ）の１つによって要求された所望の伝送容量（ＣＡＰｒ）に関する要求に基き、可変パラメータ（Ｔ２，Ｆ２）を決定しそして変化させ、
無線ベースステーションはその受信手段（ＤＷＮ）に接続された監視回路（ＡＮＡ）を含むという事実に基づき、それによって予め定められた周波数範囲内の既存の無線伝送を監視し、そしてフリー伝送容量（ＣＡＰｒ）を決定し、
無線ベースステーションはその送信および受信手段に接続された評価回路（ＲＣＣ）を含むという事実に基づき、それによって無線インターフェイス（ＣＯＭａ）の可変パラメータ（Ｔａ，Ｆａ）を決定し、これらのパラメータにしたがってその送信および受信手段を設定し、それらの設定のためにこれらのパラメータを遠隔地無線ステーション（ＭＳａ）に送信し、
所望の伝送容量（ＣＡＰｒ）を割当てるために、最小で可能性が最少のフリー伝送容量（ＣＰＡ１）が確保されることを特徴とする、請求項８または９記載の無線ベースステーション（ＢＳ）。
【請求項１１】
無線インターフェイス（ＣＯＭａ）を介し、遠隔地無線ステーション（ＭＳａ）と無線ベースステーション（ＢＳ）との間で加入者データを無線伝送するための、送信手段（ＭＯＤ，ＵＰ）および受信手段（ＤＷＮ，ＤＥＭ）を含む遠隔地無線ステーション（ＭＳａ）であって、
その伝送容量をベースステーション（ＢＳ）が遠隔地無線ステーション（ＭＳａ）の通信の要求に基づき、そして無線ベースステーション（ＢＳ）の無線放送領域（ＲＣ）における既存の無線伝送の監視に基づき変化させ、
送信手段（ＭＯＤ，ＵＰ）および受信手段（ＤＷＮ，ＤＥＭ）は、無線ベースステーション（ＢＳ）が決定し送信手段（ＭＯＤ，ＵＰ）および受信手段（ＤＷＮ，ＤＥＭ）それぞれの変調および復調を特定する可変パラメータ（Ｔａ，Ｆａ）を設定可能であり、
遠隔地無線ステーション（ＭＳａ）は入出力装置（Ｌ，Ｄ，Ｍ，Ｋ）を含み、それによって加入者は無線伝送に関する少なくとも１つ無線通信サービス（ＦＡＸ，ＶＩＤＥＯ）を要求しそして使用し、
遠隔地無線ステーション（ＭＳａ）は入出力装置、送信手段（ＭＯＤ，ＵＰ）および受信手段（ＤＷＮ，ＤＥＭ）に接続された制御回路（ＣＴＲ）を含み、その制御回路（ＣＴＲ）により無線伝送に対する所望の伝送容量（ＣＡＰｒ）を決定し、そしてこの所望の伝送容量（ＣＡＰｒ）に関する要求を無線ベースステーション（ＢＳ）に送信し、
送信手段（ＭＯＤ，ＵＰ）および受信手段（ＤＷＮ，ＤＥＭ）は異なる伝送方法に対応する無線伝送について設定可能であることを特徴とする遠隔地無線ステーション（ＭＳａ）。
【請求項１２】
無線インターフェイス（ＣＯＭａ）を介し、少なくとも１つの多重アクセス方法にしたがい、遠隔地無線ステーションと無線ベースステーション（ＢＳ）との間において加入者データを無線伝送するための送信手段（ＭＯＤ，ＵＰ）および受信手段（ＤＷＮ，ＤＥＭ）を含む遠隔地無線ステーション（ＭＳａ）であって、
無線ベースステーション（ＢＳ）はその伝送容量を、遠隔地無線ステーション（ＭＳａ）の通信の要求に基づき、そして無線ベースステーションの無線放送領域（ＲＣ）における既存の無線伝送の監視に基づき変化させ、
送信手段（ＭＯＤ，ＵＰ）および受信手段（ＤＷＮ，ＤＥＭ）は、ベースステーション（ＢＳ）が決定しそしてこの伝送容量に対応するチャンネル容量を有する無線チャンネルに関するＦＤＭＡ周波数範囲および／またはＣＤＭＡコードを指定する可変パラメータ（Ｔａ，Ｆａ）を設定可能であり、そして
遠隔地無線ステーション（ＭＳａ）は入力／出力装置（Ｌ，Ｄ，Ｍ，Ｋ）を含み、それによって加入者は無線伝送に関する少なくとも１つの無線通信サービス（ＦＡＸ，ＶＩＤＥＯ）を要求してそして使用し、そして
遠隔地無線ステーション（ＭＳａ）は入力／出力装置、送信手段（ＭＯＤ，ＵＰ）および受信手段（ＤＷＮ，ＤＥＭ）に接続された制御回路（ＣＴＲ）を含み、その制御回路（ＣＴＲ）により無線伝送に関する所望の伝送容量（ＣＡＰｒ）を決定し、そしてこの所望の伝送容量（ＣＡＰｒ）に対する要求を無線ベースステーション（ＢＳ）に送信し、
送信手段（ＭＯＤ，ＵＰ）および受信手段（ＤＷＮ，ＤＥＭ）は異なる伝送方法に対応する無線送信が設定可能であることを特徴とする遠隔地無線ステーション（ＭＳａ）。
【請求項１３】
制御回路（ＣＴＲ）は加入者が無線通信サービスに対して要求する最小品質に基づいて、および／または入力／出力装置におけるエラーのない信号処理が必要とする最小伝送容量に基づいて所望の伝送容量（ＣＡＰｒ）を決定し、そして制御回路（ＣＴＲ）は無線ベースステーションによって決定されそして変化させられたパラメータ（Ｔａ，Ｆａ）に関して送信および受信手段を設定することを特徴とする請求項１１または１２記載の遠隔地無線ステーション（ＭＳａ）。
【請求項１４】
無線ベースステーション（ＢＳ）と遠隔地無線ステーション（ＭＳａ）との間の無線システム（ＭＲＳ）における無線伝送のための無線インターフェイス（ＣＯＭａ）であって、
無線インターフェイス（ＣＯＭａ）は可変パラメータ（Ｔａ，Ｆａ）を有し、可変パラメータ（Ｔａ，Ｆａ）は無線伝送に関する変調および復調を特定し、それによって無線伝送の伝送容量を決定し、
可変パラメータ（Ｔａ，Ｆａ）は異なる伝送方法に対応する無線伝送のために送信手段（ＭＯＤ，ＵＰ）および受信手段（ＤＷＮ，ＤＥＭ）を設定するのに用いられることを特徴とする無線インターフェイス。
【請求項１５】
無線ベースステーション（ＢＳ）と複数の遠隔地無線ステーションのうち１つの遠隔地無線ステーション（ＭＳｃ）との間の無線システム（ＭＲＳ）における無線伝送のためのＦＤＭＡおよび／またはＣＤＭＡ無線インターフェイス（ＣＯＭｃ）であって、
無線インターフェイス（ＣＯＭｃ）は可変パラメータを有し、可変パラメータはＦＤＭＡ周波数範囲および／またはＣＤＭＡコード（Ｃｃ１）を示し、それによって無線伝送の伝送容量を決定し、
可変パラメータ（Ｔａ，Ｆａ）は異なる伝送方法に対応する無線伝送のために送信手段（ＭＯＤ，ＵＰ）および受信手段（ＤＷＮ，ＤＥＭ）を設定するのに用いられることを特徴とするＦＤＭＡおよび／またはＣＤＭＡ無線インターフェイス。
【請求項１６】
無線システム（ＭＲＳ）における無線ベースステーション（ＢＳ）と遠隔地無線ステーション（ＭＳａ）との間の無線伝送方法であって、
この方法において無線伝送は可変パラメータ（Ｔａ，Ｆａ）を有する無線インターフェイス（ＣＯＭａ）を介して行われ、
可変パラメータは無線伝送に対する変調および復調を特定しそしてその伝送容量を変化させ、そして可変パラメータは無線ベースステーション（ＢＳ）によって予め決定され、そして遠隔地無線ステーション（ＭＳａ）から送信された要求に基きおよび無線ベースステーション（ＢＳ）によって行われる予め定められた周波数範囲の監視に基づき無線ベースステーション（ＢＳ）によって変化させられ、そして可変パラメータにより無線ベースステーション（ＢＳ）の無線放送領域（ＲＣ）における既存の無線伝送が決定され、
可変パラメータ（Ｔａ，Ｆａ）は異なる伝送方法に対応する無線伝送のために送信手段（ＭＯＤ，ＵＰ）および受信手段（ＤＷＮ，ＤＥＭ）を設定するのに用いられることを特徴とする無線伝送方法。
【請求項１７】
無線ベースステーション（ＢＳ）と複数の遠隔地無線ステーションのうちの１つの遠隔地無線ステーション（ＭＳａ）との間の無線システム（ＭＲＳ）において、少なくとも１つの多重アクセス方法にしたがって無線伝送する方法であって、
この方法において無線伝送は可変パラメータ（Ｔａ，Ｆａ）を有する無線インターフェイス（ＣＯＭａ）を介して行われ、
可変パラメータは無線伝送の伝送容量（チャンネル容量）を変化させるためのＦＤＭＡ周波数範囲および／またはＣＤＭＡコードを示し、そして可変パラメータは無線ベースステーション（ＢＳ）によって予め決定され、そして遠隔地無線ステーション（ＭＳａ）から送信された要求に基きおよび無線ベースステーション（ＢＳ）によって行われる予め定められた周波数範囲の監視に基づき無線ベースステーション（ＢＳ）によって変化させられ、そして可変パラメータにより無線ベースステーション（ＢＳ）の無線放送領域における既存の無線伝送が決定され、
可変パラメータ（Ｔａ，Ｆａ）は異なる伝送方法に対応する無線送信のために送信手段（ＭＯＤ，ＵＰ）および受信手段（ＤＷＮ，ＤＥＭ）を設定するのに用いられることを特徴とする無線伝送方法。
【請求項１８】
所望の伝送容量（ＣＡＰｒ）が無線伝送のために遠隔地無線ステーション（ＭＳａ）によって要求され、そしてフリー伝送容量（ＣＡＰ１）が無線ベースステーション（ＢＳ）により予め定められた周波数範囲を監視することによって決定され、そして所望の伝送容量（ＣＡＰｒ）を割当てるための可変パラメータ（Ｔａ，Ｆａ）が予め定められそして変化させられ、最小で可能性が最少のフリー伝送容量（ＣＡＰ１）が確保されることを特徴とする請求項１６または１７記載の無線伝送方法。
【請求項１９】
所望の伝送容量（ＣＡＰｒ）がフリー伝送容量（ＣＡＰ１）より大きい場合、無線ベースステーション（ＢＳ）と遠隔地無線ステーション（ＭＳａ）との間において、無線伝送を行わないかまたは最小品質の無線伝送を行うかが合意され、この最小品質が保証されるように、可変パラメータ（Ｔａ，Ｆａ）が無線ベースステーション（ＢＳ）により予め決定さることを特徴とする請求項１８記載の無線伝送方法。
【発明の詳細な説明】
【技術分野】
【０００１】
本発明は、各伝送容量が遠隔地無線ステーションによって送信された要求およびベースステーションのフィールド範囲における既存の無線伝送の監視に基いてベースステーションを変化されることによって変化される無線インターフェイスを介して有効なデータを伝送するために送信および受信手段を含む１以上のベーステーションおよび遠隔地無線ステーションを備えた無線システム、ならびにこの無線システム用のベースステーションおよび遠隔地ステーション、無線インターフェイスおよびこの無線システムにおける伝送方法に関する。
【背景技術】
【０００２】
このような無線システムは、マニュアル［Ｊ．ＫedajおよびＧ．Ｈentschel氏による“モービルファンク”（モービル無線），ニューメディア社，Ｕlm，3rd.edition,1993年，第４章］に記載されている。それには、ＧＳＭ（自動車通信用グローバルシステム）にしたがって標準化され、有効なデータを交換し、無線インターフェイスを介して信号送信するベースステーション（FuFSt ）および遠隔地無線ステーション（無線電話，FuTelG）を含む無線電話システムが記載されている。その第4.1.5.3 および4.1.5.8 章に記載されているように、無線インターフェイスは、ＧＳＭ標準方式にしたがって無線システムによって予め決定されたパラメータによって特徴付けられる。したがって、22.8ｋビット／秒（全速度）または11.4ｋビット／秒（１／２速度）の予め設定された使用速度を有する２つのトラフィックチャンネル（BmおよびLm）が有効なデータを送信するために利用できる。これらのトラフィックチャンネルの１つは、遠隔地ステーションに対してアレンジされた無線サービスの容量の必要度に応じて使用される。
【発明の開示】
【発明が解決しようとする課題】
【０００３】
通常の無線システムにおいては、無線伝送、特にマルチメディアサービス等の時間と共に変化する容量の必要度を伴うサービスの伝送のアレンジメントおよび実行は、特定の使用速度で調節されなければならない。  
本発明の目的は、そのような問題を克服することができる無線システムおよびそのシステムにおけるベースステーション、遠隔地ステーション並びに無線伝送方法を提供することである。
【課題を解決するための手段】
【０００４】
この目的は、ベースステーションは、送信手段または受信手段に対する変調および復調を特定する各伝送容量を変化するために無線インターフェイスの可変パラメータを予め決定することを特徴とする無線システム、およびその無線システムで使用されるベースステーション、遠隔地ステーション、および無線インターフェイス、ならびにそのような無線システムにおける伝送方法によって達成される。  
本発明の有効な実施態様は、その他の請求項に記載されている。  
以下、実施例および添付図面を参照して本発明を説明する。
【発明を実施するための最良の形態】
【０００５】
図１は、２つのベースステーションＢＳ、無線インターフェイスステーションＭＳＣおよび３つの遠隔地ステーションＭＳａ、ＭＳｂおよびＭＳｃを備えたモービルシステムＭＲＳのような無線システムを示す。遠隔地ステーションはモービルステーションであるが、固定された無線ステーションであることもできる。ネットワークＮＥＴは、通信ネットワークにメッセージリンクを切替える無線インターフェイスＭＳＣとベースステーションを接続する。モービルステーションＭＳａおよびＭＳｂのうちの２つは、ベースステーションＢＳの１つのフィールド範囲ＲＣに位置している。別のモービルステーションＭＳｃは、別のベースステーションのフィールド範囲に位置している。
【０００６】
モービルステーションとベースステーションとの間の伝送は、固定パラメータによって特徴付けられる無線インターフェイスＳＩＧ1およびＳＩＧ2を通じて、および可変パラメータＴａ、Ｆａ、Ｔｂ、Ｔｃ、Ｃｃ1 およびＣｃ2 によって特徴付けられる無線インターフェイスＣＯＭａ乃至ＣＯＭｃを介して行われる。以下、固定パラメータを有する無線インターフェイスＳＩＧ1およびＳＩＧ2を固定無線インターフェイスと呼ぶ。それらは、ベースステーションとモービルステーションとの間において信号送信するために使用される。可変パラメータを有する無線インターフェイスＣＯＭａ乃至ＣＯＭｃは、以下フレキシブルな無線インターフェイスと呼ぶ。それらは、無線ステーション間において有効なデータを伝送するように機能する。信号および有効なデータの伝送は例えば1895乃至1935ＭＨｚ間の周波数範囲内で行われ、信号送信は例えば25ｋＨｚの狭い帯域内でこの周波数範囲の低い部分で行われる。周波数範囲の他のかなり大きい部分は、有効なデータの伝送のために保留される。ベースステーションは、伝送容量が遠隔地無線ステーション（モービルステーション）の個々の要求に適合されるように有効なデータの伝送のために無線インターフェイスＣＯＭａ乃至ＣＯＭｃの可変パラメータを予め決定する。さらにベースステーションは、これがモービルステーションからの要求を変化することによって要求された場合に、無線インターフェイスＣＯＭａ乃至ＣＯＭｃのパラメータを変化する。その理由のために、インターフェイスＣＯＭａ乃至ＣＯＭｃは以下においてフレキシブルな無線インターフェイスと呼ばれる。以下、各遠隔地ステーションに対する割当てのためのフレキシブルな無線インターフェイスの可変パラメータの予備決定および変化を詳細に説明する。
【０００７】
図１は、以下のようなフレキシブルな無線インターフェイスの割当の可能性を示す。モービルステーションの１つＭＳａは、パラメータＴＡが時分割多重アクセス（ＴＤＭＡ）における無線伝送の内側の時間チャンネルを特徴とし、パラメータＦａが周波数分割多重チャンネル（ＦＤＭＡ）における無線伝送の内側の周波数チャンネルを特徴とするフレキシブルな無線インターフェイスＣＯＭａを介してベースステーションＢＳの１つと有効なデータを交換する。解析後、これらのパラメータはベースステーションによって周波数範囲内でフリー伝送容量すなわちフリー時間またはこの瞬間の周波数チャンネルがフレキシブルな無線インターフェイスに対して準備ができているように割当てられた。例えば時間チャンネルＴａは、８つの時間スロットＳ1 乃至Ｓ8 および 200ｋＨｚの周波数ラスタを持つＴＤＭＡ無線伝送のために保留されている1900乃至1925ＭＨｚの間の周波数帯域内に存在している。この例に記載されたＴＤＭＡ伝送は図２ａにさらに正確に示されており、本質的に“ＤＳＣ1800”システム（デジタルセルシステム，1800ＭＨｚ）に対する勧告に対応する。この例において、時間チャンネルＴａは時間スロットＳ8 において1900.3ＭＨｚの搬送波周波数に位置し、ここにおいて時間スロットＳ8 は別の時間スロット（１／２速度チャンネル）によって交互に共有される。時間スロットＴａは12.5ｋＨｚの周波数帯域幅を有し、ファックス伝送に対して８ｋビット／秒でモービルステーションＭＳａに対して割当てられている。
【０００８】
ファックス伝送に加えて、モービルステーションＭＳａは1536ｋビット／秒の使用速度を必要とするビデオサービス（ビデオ電話伝送）を登録している。したがって、1925乃至1930ＭＨｚの周波数帯域内の周波数チャンネルはベースステーションＢＳによってアレンジされる。この周波数範囲はＦＤＭＡ伝送のために保留され、固定した周波数ラスタを持たない。ビデオ伝送に割当てられた周波数チャンネルは1800ｋＨｚの帯域幅を有する。モービルステーションＭＳａとベースステーションとの間の信号送信は、固定した無線インターフェイスＳＩＧ1 （信号送信チャンネル）を通じて行われる。
【０００９】
別のモービルステーションＭＳｂおよびＭＳｃはまたそれらに割当てられたフレキシブルな無線インターフェイスＣＯＭｂおよびＣＯＭｃを有し、ここにおいてモービルステーションＭＳｂはベースステーションの１つに接続され、モービルステーションＭＳｃは別のベースステーションに接続されている。モービルステーションＭＳｂは固定した無線インターフェイスＳＩＧ1 を通じてベースステーションＢＳと信号を交換する。以下、図２によってフレキシブルな無線インターフェイスＣＯＭａ乃至ＣＯＭｃが有効なデータの交換のためにモービルステーションの容量要求に対してどのようにして適合されるかを詳細に説明する。
【００１０】
図２ａは、1895乃至1935ＭＨｚの間の無線伝送に対する周波数範囲の分配の可能性を示す。それぞれ12.5ｋＨｚの帯域幅を有する２つの周波数チャンネルは、信号送信のために1895乃至1895.05 ＭＨｚの間の低い周波数範囲に配置されている。1900乃至1935ＭＨｚの間の周波数範囲は有効なデータの無線伝送のために使用され、３つの部分的な範囲に分割される。各部分的な範囲は、予め定められた伝送方法のために保留される。1900乃至1925ＭＨｚの間の部分的な範囲は、ＤＣＳ1800無線システムに対して勧告されているように、 200ｋＨｚの周波数ラスタおよび８つの時間スロットＳ1 乃至Ｓ8 の時間スロットシーケンスを持つＴＤＭＡ伝送のために保留される。したがって、25ｋＨｚ（全速度）の帯域幅は、時間スロットが連続的に占有されたときに有効である。1925乃至1930ＭＨｚの間の部分的な範囲は、固定された周波数ラスタが使用されないＦＤＭＡ伝送方法に対して保留される。1930乃至1935ＭＨｚの間の残りの部分的な範囲は、６ビットのワード幅のコードアルファベットを有するコード分割多重アクセス（ＣＤＭＡ）に対して保留される。したがって、全てのコードチャンネルは78.125ｋＨｚの帯域幅を有する。
【００１１】
この構造例において、ベースステーションＢＳはＦＤＭＡおよびＣＤＭＡ周波数範囲においてのみ無制限のアクセスを行う。ＴＤＭＡ周波数範囲において、各ベースステーションは１つの搬送波周波数だけにアクセスする。ベースステーションの送信および受信手段は、異なる伝送方法に対して調節されることができる。伝送方法は異なる基準によって決定されることができるため、ベースステーションは多基準ベースステーションとして特徴付けられることができる。例えば、ＴＤＭＡ伝送はＤＣＳ1800勧告にしたがって行われ、それはＥＴＳＴ（欧州通信規格委員会）によりＧＳＭ基準にしたがって詳細に述べられている。この構造例の説明を簡単にすると、モービルステーションは示された周波数範囲のうちの１または２つだけにアクセスすることができる。すなわち、それらは単一または二重基準端末である。個々のモービルステーションの構造に応じて、可変パラメータはベースステーションによって可能な無線伝送方法（基準）のフレームワーク内のモービルステーションの容量要求に適合される。
【００１２】
本発明はまた各モービルステーションおよび各ベースステーションが示された周波数範囲に無制限にアクセスすることができるモービル無線システムを想定することもできる。その後、時間、周波数およびコードチャンネルは、各モービルステーションが要求されるサービスの全てを使用することができるように占有され、伝送は互いに干渉しない。その結果、ベースステーションはモービルステーションによって信号送信された要求を評価し、フリー伝送容量すなわち無線伝送に対するフリーチャンネルを決定し、フレキシブルな無線インターフェイスに対するパラメータを予備決定する。予め定められた周波数、時間またはコード範囲を各ベースステーションに割当てる固定したリソースプランは不要である。例えば、実際のチャンネル使用は、ネットワークによってベースステーション間で交換される。一方において、このモービル無線システムは、アレンジされたフレキシブルな無線インターフェイスが要求された伝送容量に適合されることにおいてモービルステーションとベースステーションとの間の各伝送に関してフレキシブルである。他方において、このモービル無線システムはまた各ベースステーションがそのフィールド範囲中の無線ステーションにより要求される伝送容量だけを使用することにおいてトラフィック発生に関してフレキシブルである。
【００１３】
図２のａに示されている３つの部分的な範囲への周波数範囲の分配は、この場合に時間、周波数またはコードチャンネルを述べる限りにおいて説明を簡単にする。しかしながら、３つの部分的な範囲に示されたＴＤＭＡ、ＦＤＭＡおよびＣＤＭＡ伝送方法はまた互いに結合されることができる。
【００１４】
図２のｂは、可能な無線伝送状況（チャンネル占有）を示し、ここにおいて占有された伝送容量（チャンネル）は十字によって示されている。残りのフリー伝送容量（チャンネル）は、ベースステーションにおけるスペクトル解析によって決定され、割当のために利用できる。エネルギ密度スペクトルが評価される簡単なスペクトル解析は、周波数チャンネルが占有されるか、或はフリーであるかを決定するのに十分である。フリー時間またはコードチャンネルを決定するには、さらに詳細な解析が必要である。しかしながら、それはほぼどれ程の時間またはコードチャンネルがフリーであるかを決定するためにエネルギ密度スペクトルの評価で十分である。以下、図２のｂによってモービルステーションからの要求に基づいた可能なチャンネルを割当てを詳細に説明する。
【００１５】
図２のｂは、フレキシブルな無線インターフェイスＣＯＭａ乃至ＣＯＭｃのサービスプロフィールおよび割当てられた調節の可能性が各モービルステーションＭＳａ乃至ＭＳｃに対して示されている表である。各サービスプロフィールは、電話ＴＥＬ、ファクシミリ伝送ＦＡＸおよびビデオ電話ＶＩＤＥＯのような３つまでのサービスを含む。各モービルステーションは、各サービス用の所望の伝送容量ＣＡＰｒの信号をベースステーションに送ることによってベースステーションからこれらのサービスを１つ以上要求する。
【００１６】
この例において、モービルステーションＭＳａは８ｋビット／秒でＦＡＸサービスを要求し、1536ｋビット／秒でＶＩＤＥＯサービスを要求する（迅速なビデオ電話伝送）。これらのサービスが要求された後、ベースステーションは上記の周波数範囲を解析することによってフリー伝送容量ＣＡＰｒを決定し、フレキシブルな無線インターフェイスＣＯＭａの調節のためにパラメータＴａおよびＦａを割当てる。この例において、パラメータＴａは12.5ｋＨｚのＴＤＭＡ周波数帯域幅範囲の時間チャンネル（１／２速度チャンネル）を決定する。この時間チャンネルＴａは、フレキシブルな無線インターフェイスＣＯＭａを介してファックスサービスを伝送するためにモービルステーションＭＳａに割当てられる。パラメータＦａは、1800ｋＨｚのＦＤＭＡ周波数帯域幅範囲における周波数チャンネルを特徴付ける。この周波数チャンネルは、ビデオ電話伝送のために使用される。モービルステーションＭＳｂは電話サービスを要求し、16ｋビット／秒の所望のＣＡＰｒ伝送容量を要求する。ベースステーションＢＳは、25ｋＨｚの帯域幅を有する時間チャンネルを限定し、フレキシブルな無線インターフェイスＣＯＭｂを特徴付ける各パラメータＴｂを予め決定する。時間チャンネルは、ＴＤＭＡ伝送内にフリー時間スロット（全速度チャンネル）を含む。モービルステーションＭＳｃはここに示された３つの無線サービスの全てを要求し、電話サービスに対して８ｋビット／秒の所望の伝送容量、ファックスサービスに対して64ｋビット／秒の所望の伝送容量およびビデオサービス（例えば、遅いビデオ電話伝送）に対して 512ｋビット／秒の所望の伝送容量を必要とする。別のベースステーションはこれらのサービスに対してフレキシブルな無線インターフェイスＣＯＭｃを利用可能にする。特に、ＣＯＭｃはＦＤＭＡ周波数範囲において25ｋＨｚの帯域幅を有するフリー時間チャンネルを限定するパラメータＴｃによって特徴付けられる。この時間チャンネルは、電話伝送ＴＥＬに対して利用可能にされる。ＣＯＭｃはさらに１つが第１のコードチャンネルＣｃ1 に対応し、他方が第２のコードチャンネルＣｃ2 に対応する２つのパラメータによって特徴付けられる。フリーコードを含む第１のコードチャンネルＣｃ1 は78.1ｋＨｚの帯域幅を有し、ファックス伝送に対して利用可能にされる。コードチャンネルＣｃ2 はＣＤＭＡ伝送内の２つのフリーコードチャンネルからなる 156.3ｋＨｚの帯域幅を有する。しかしながら、 156.3ｋＨｚのフリー伝送容量はモービルステーションＭＳｃによって所望される 512ｋビット／秒の伝送容量より小さい。そのときベースステーションＢＳは、どのモービルステーションが 128ｋビット／秒を持つ小さい帯域幅チャンネルを割当てられる（例えば、遅い黒色および白色画像シーケンスに対して）ことを承認できるかにしたがってモービルステーションＭＳｃに質問を信号送信する。
【００１７】
図２によって明瞭に示されているように、フレキシブルな無線インターフェイスＣＯＭａ、ＣＯＭｂおよびＣＯＭｃはモービルステーションＭＳａ、ＭＳｂおよびＭＳｃの各要求に適合される。このようにして、モービル無線システムは所定の周波数スペクトルを高い率で使用する。要求されるチャンネル容量が例えば電話通話の保留等の場合のように無線サービスの１つの実行中に変化した場合、モービルステーションはベースステーションに新しい要求を通知し、ベースステーションがその瞬間の要求にチャンネル容量を適合させる。したがって、無線接続のチャンネル容量は連続的に変化し（“ブリージング無線チャンネル”）、一方無線インターフェイスの可変パラメータはモービルステーションの要求に適合される。
【００１８】
さらに、モービルステーションとベースステーションとの間の無線伝送に対して変調および符号化方法が承認され（例えばソースまたはチャンネル符号化のために）、それは各状況および無線サービスに対する最小品質に適合される。変調および符号化によって特徴付けられるフレキシブルな無線インターフェイスのパラメータはそれに応じて変化する。最小品質を維持するために必要とされるチャンネル容量は、ＭＰＥＧ（映画エキスパートグループ）またはＪＰＥＧ（ジョイントフォトグラフィックエキスパートグループ）およびその他による適応トランスコーディングまたはイメージコーディング等のインテリジェント信号処理方法によって決定される。
【００１９】
モービル無線システムの特に簡単な形態は、無線伝送に割当てられる固定された伝送方法により周波数帯域が固定された部分範囲に区分される実施例によって示されている。したがって、示されたモービル無線システムはまた各基準が各伝送方法の１つを設定する多基準無線システムと呼ばれることが可能である。モービルステーションの要求に無線伝送を適合させるために、フレキシブルな無線インターフェイスのパラメータは基準のフレームワーク内で変化される。すなわち、ベースステーションは定められた可能なパラメータの供給にアクセスする。無線伝送は基準内で（例えば、ＧＳＭとＤＣＳ1800との間でシフトすることによって）、および異なる基準間で（例えばＧＳＭとＤＣＳ1800との間で）連続的に変化する。しかし、異なる基準が設定されない別の無線システムも同様にして想定されることができる。
【００２０】
以下、本発明によるベースステーションＢＳおよび遠隔地無線ステーション（モービルステーションＭＳａ）の回路構成を示す。図３におけるベースステーションＢＳは以下のように構成されている：アンテナＡＮは、デュプレクサＤＵＰに接続される。デュプレクサＤＵＰは下方混合段ＤＷＮおよび復調段ＤＥＭを含む受信手段によって後続される。デュプレクサは、変調段ＭＯＤおよび上方混合段ＵＰを含む送信手段によって送信方向において先行される。変調段および復調段は、アダプタ回路ＩＮＴに接続され、このアダプタ回路ＩＮＴはネットワークＮＥＴと接続している。ネットワークは、ＰＣＭ方法（パルス符号化変調）による伝送が30個のチャンネルを介して行なわれた場合に、無線インターフェイスにベースステーションＢＳを接続するように機能する。例えば、ネットワークはまたＩＳＤＮまたはＡＴＭネットワークであることができる（ＩＳＤＮ：総合サービスデジタル網，ＡＴＭ：非同期伝送モード）。受信および送信手段並びにアダプタ回路ＩＮＴは、評価回路ＲＣＣによって制御され、この評価回路は監視回路ＡＮＡに接続されている。監視回路ＡＮＡは下方混合段ＤＷＮに後続する。さらに、ベースステーションＢＳは変調段、復調段、評価回路およびアダプタ回路を制御するプロセッサ回路ＳＧＣを含んでいる。示された送信および受信手段は調節可能であり、有効なデータを伝送するために設けられている。信号チャンネルを通して信号を送信または受信するための手段はここには示されていない。
【００２１】
ベースステーションＢＳがモービルステーションの信号チャンネルを通して１以上の無線サービスに対する要求およびこれらの無線サービスを実行するために必要とされる伝送容量に対する要求を受信した場合、ベースステーションは監視回路ＡＮＡによって特定の周波数範囲を走査し、フリー伝送容量すなわちフリー時間、周波数またはコードチャンネルを決定する。これらのフリーチャンネルを特徴付けるパラメータは監視回路ＡＮＡによって決定され、評価回路ＲＣＣに送信される。その後、評価回路ＲＣＣは所望の伝送容量とフリーチャンネルすなわちフリー伝送容量を比較し、その伝送容量が最少の可能性があるフリー伝送容量を占有するフレキシブルな無線インターフェイスを限定する時間、周波数または符号に関して可変であるパラメータを決定する。これらの可変パラメータによって、評価回路ＲＣＣは変調段ＭＯＤおよび上方混合段ＵＰ、並びに復調段ＤＥＭおよび下方混合段ＤＷＮを制御し、それによって送信または受信手段が無線伝送に対して調節される。さらに、評価回路ＲＣＣはネットワークＮＥＴを介して伝送され、ベースステーションによる信号処理（トランスコーディング）のために必要とされるデータ伝送速度を適合させるためにアダプタ回路ＩＮＴを制御する。プロセッサ回路ＳＧＣはベースステーションＢＳの中央制御装置を形成し、管理信号を制御するために使用される。評価回路ＲＣＣによって決定されたパラメータは、モービルステーションに通報されると考えられる。
【００２２】
図４は、アンテナＡＮおよびそれに接続されたデュプレクサＤＵＰを含んでいる本発明によるモービルステーションＭＳａを示す。さらに、モービルステーションはデュプレクサに先行または後続する受信および送信手段を含む。受信手段は下方ミキサＤＷＮおよび復調段ＤＥＭを含み、送信手段は変調段ＭＯＤおよび上方ミキサＵＰを含んでいる。受信および送信手段は制御回路ＣＴＲによって制御される。受信および送信手段に加えて、この制御回路はまた例えばラウドスピーカＬ、ディスプレイスクリーンＤ、キーボードＫおよびマイクロホンＭ等の出力装置に接続される。図４に示されたモービルステーションの受信および送信手段は、ベースステーションによって特定されたパラメータに対して調節されることができる。信号用の受信および送信手段は示されていない。無線サービスを要求するために、加入者はディスプレイおよびキーボードによってある無線サービスおよび割当てられた品質をメニューから選択する。その後、制御回路ＣＴＲはベースステーションに対する信号を発生し、それは無線サービスの識別子および例えばこの品質で選択された無線サービスを実行するために必要とされる所望の伝送容量を含む。所望の伝送容量（チャンネル容量）が利用可能である場合、ベースステーションはモービルステーションの受信および送信手段を調節するために必要とされる各パラメータを通報する。モービルステーションは、制御回路ＣＴＲにより無線インターフェイスＣＯＭａによって予め決定されたパラメータにその送信および受信手段を調節する。
【００２３】
加入者によって所望された伝送容量が利用できない場合、ベースステーションは遠隔地無線ステーション（モービルステーション）にこのことを通知する。しかしながら、最小の品質が特定された場合に所望の無線サービスが小さい伝送容量により実行されることができる場合、ベースステーションはモービルステーションＭＳａに提供することを通知し、これはスクリーン上に表示される。その後、加入者はキーボードＫを使用することによって申込みを承認する。申込みが承認された後、制御回路ＣＴＲは最後に申込まれたパラメータに送信および受信手段を調節する。
【００２４】
無線サービスの実行中、制御回路ＣＴＲはメッセージ信号の入力および出力に必要とされる伝送容量を連続的に決定する。伝送容量ニードの変化はベースステーションに通知され、その後それは変化された伝送容量にしたがって送信および受信手段を調節するためにパラメータを適合させる。最初に述べられた周波数スペクトルの高い使用度に加えて、放射された電波（エレクトロスモッグ）による環境のストレスは最低にされる。ここに詳細に記載された時間、周波数およびコードチャンネルの予備決定および変化に加えて、変調（変調深さ）、ソース符号化およびチャンネル符号化の予備決定および変化が発生する可能性が高い。さらに、伝送出力調節が想定されることが可能であり、それは実際のモービルステーションの要求（最小に要求される信号対雑音比分離／ビットエラー率）に適合される。
【００２５】
ここに示されたモービル無線システムは本発明の特に有効な形態である。例えばワイヤレス、交差リンクコンピュータシステムまたはオフィス通信システム等の固定した遠隔地無線ステーションを含むその他の無線システムが考えられることができる。本発明の使用は特に、要求される無線伝送容量の著しい振動（メッセージ転送率）が発生するマルチメディア適用の無線伝送の分野において興味深いものである。
【００２６】
また本発明の実施の形態に関し以下に記載する。  
各伝送容量が遠隔地無線ステーションによって送信された要求およびベースステーションのフィールド範囲における既存の無線伝送の監視に基いてベースステーションを変化されることによって変化される無線インターフェイスを介して有効なデータを伝送するために送信および受信手段を含む１以上のベーステーションおよび遠隔地無線ステーションを備えた無線システムにおいて、
ベースステーションは、送信手段または受信手段に対する変調および復調を特定する各伝送容量を変化するために無線インターフェイスの可変パラメータを予め決定することを特徴とする無線システム。
【００２７】
各伝送容量が遠隔地無線ステーションによって送信された要求およびベースステーションのフィールド範囲における既存の無線伝送の監視に基づいてベースステーションによって変化される無線インターフェイスを介して１以上の多重アクセス方法にしたがって有効なデータを伝送するために送信および受信手段を含む１以上のベーステーションおよび遠隔地無線ステーションを備えた無線システムにおいて、
ベースステーションは、ＦＤＭＡ周波数位置および、またはＣＤＭＡコードを特定する無線インターフェイスの可変パラメータを予め決定することによって１以上の多重アクセス方法にしたがって伝送するために遠隔地無線ステーションに対する可変チャンネル容量（伝送容量）を無線チャンネルに割当てることを特徴とする無線システム。
【００２８】
さらに、無線伝送のために、ベースステーションは信号符号化および復号化をそれぞれ特定する無線インターフェイスの可変パラメータを予め決定することによって送信手段および受信手段において可変信号処理を行なうことを特徴とする無線システム。または少なくともベースステーションの送信手段および受信手段は異なる基準にしたがって無線伝送に対して調節可能であることを特徴とする無線システム。または、各遠隔地無線ステーションはその送信手段に接続された制御回路を含み、それによって有効なデータを伝送するために所望の伝送容量の要求を送信し、ベースステーションはその受信手段に接続された監視回路を含み、それによって特定の周波数範囲内で伝送するためにフリー伝送容量を決定することを特徴とする無線システム。
【００２９】
ベースステーションはその送信手段および受信手段に接続された評価回路を含み、それによって最小で可能性が最小のフリー伝送容量が占有されるように所望の伝送容量の割当てを要求する各遠隔地無線ステーションに対して１以上の無線インターフェイスの可変パラメータを決定し、変化し、ベースステーションは評価回路を介してこれらの可変パラメータにしたがってその送信および受信手段を調節し、その送信および受信手段を調節するために要求している遠隔地無線ステーションにこれらの可変パラメータを送信することを特徴とする無線システム。
【００３０】
さらに、１以上のサービスを実行するために、遠隔地無線ステーションは制御回路に接続された入出力装置を含み、それにより加入者はこのサービスを要求して使用し、制御回路はサービス加入者によって入出力装置におけるエラーのない信号処理を必要とする要求された最小品質および、または最小伝送容量に基づいて所望の伝送容量を決定することを特徴とする無線システム。または、遠隔地無線ステーションは、制御回路が有効なデータの内容の変化に基づいて決定した所望の伝送容量を連続的に要求することを特徴とする無線システム。
【００３１】
各伝送容量が遠隔地無線ステーションによって出された要求およびベースステーションのフィールド範囲における既存の無線伝送の監視に基づいてベースステーションによって変化される無線インターフェイスを介してベースステーションと遠隔地無線ステーションとの間において有効なデータを伝送するために送信手段および受信手段を含むベースステーションにおいて、
ベースステーションは、送信手段または受信手段の変調および復調を示す各伝送容量を変化するために無線インターフェイスの可変パラメータを予め決定することを特徴とするベースステーション。
【００３２】
各伝送容量が遠隔地無線ステーションによって出された要求およびベースステーションのフィールド範囲における既存の無線伝送の監視に基づいてベースステーションによって変化される無線インターフェイスを介して１以上の多重アクセス方法にしたがってベースステーションと遠隔地無線ステーションとの間において有効なデータを伝送するために送信手段および受信手段を含むベースステーションにおいて、
ベースステーションは、ＦＤＭＡ周波数位置および、またはＣＤＭＡコードを示す無線インターフェイスの可変パラメータを予め決定することによって１以上の多重アクセス方法にしたがって伝送するために遠隔地無線ステーションに対する可変チャンネル容量（伝送容量）を無線チャンネルに割当てることを特徴とするベースステーション。
【００３３】
さらに、ベースステーションは遠隔地無線ステーションの１つによって生成された所望の伝送容量に対する要求に基づいて可変パラメータを予め決定し、変化し、ベースステーションはその受信手段に接続された監視回路を含み、それによって特定の周波数範囲内の既存の無線伝送を監視してフリー伝送容量を決定し、その送信および受信手段に接続された評価回路を含み、それによって無線インターフェイスの可変パラメータを決定し、これらのパラメータにしたがってその送信および受信手段を調節し、最小で可能性が最少の伝送容量が所望の伝送容量の割当てのために占有されるように、それらを調節するためにこれらのパラメータを遠隔地無線ステーションに送信することを特徴とする無線システム。
【００３４】
伝送容量が遠隔地無線ステーションによって出された要求およびベースステーションのフィールド範囲における既存の無線伝送の監視に基づいてベースステーションによって変化される無線インターフェイスを介して遠隔地無線ステーションとベースステーションとの間において有効なデータを伝送するために送信手段および受信手段を含む遠隔地無線ステーションにおいて、
送信手段および受信手段は、送信手段または受信手段の変調および復調を示すベースステーションによって予め決定された可変パラメータにしたがって調節可能であり、遠隔地無線ステーションは入出力装置を含み、それによって加入者は無線伝送用の１以上のサービスを要求して使用し、遠隔地無線ステーションは入出力装置、送信手段および受信手段に接続された制御回路を含み、それにより無線伝送に対する所望の容量を決定し、この所望の伝送容量に対する要求をベースステーションに知らせることを特徴とする遠隔地無線ステーション。
【００３５】
伝送容量がベースステーションのフィールド範囲における既存の無線伝送の監視に基づいてベースステーションによって変化される無線インターフェイスを介して１以上の多重アクセス方法にしたがって遠隔地無線ステーションとベースステーションとの間において有効なデータを伝送するために送信手段および受信手段を含む遠隔地無線ステーションにおいて、
送信手段および受信手段は、無線伝送に対応したチャンネル容量を持つ無線チャンネル用のＦＤＭＡ位置および、またはＣＤＭＡコードを示すベースステーションによって予め決定された可変パラメータにしたがって調節可能であり、
遠隔地無線ステーションは入出力装置を含み、それによって加入者は１以上のサービスの伝送を要求して使用し、
遠隔地無線ステーションは入出力装置、送信手段および受信手段に接続された制御回路を含み、それにより無線伝送に対する所望の容量を決定し、この所望の伝送容量に対する要求をベースステーションに送信することを特徴とする遠隔地無線ステーション。
【００３６】
さらに、制御回路はサービス加入者によって要求された最小品質および、または最小伝送品質に基づいて所望の伝送容量を決定し、これは入出力装置におけるエラーのない信号処理を必要とし、ベースステーションによって予め決定された変化されたパラメータにしたがって送信および受信手段が調節されることを特徴とする遠隔地無線ステーション。
【００３７】
ベースステーションと遠隔地無線ステーションとの間において無線システムで伝送するための無線インターフェイスにおいて、
無線インターフェイスは伝送の変調および復調を特定し、それによって無線伝送の容量を決定する可変パラメータを有していることを特徴とする無線インターフェイス。
【００３８】
ベースステーションと複数の無線ステーションの１つとの間における無線システムの伝送用のＦＤＭＡおよびＣＤＭＡ無線インターフェイスにおいて、
無線インターフェイスはＦＤＭＡ周波数位置およびＣＤＭＡコードを示し、それによって無線伝送の容量を決定する可変パラメータを有していることを特徴とするＦＤＭＡおよびＣＤＭＡ無線インターフェイス。
【００３９】
ベースステーションと遠隔地無線ステーションとの間における無線システムの伝送方法において、
伝送に対する変調および復調を示し、それらの伝送容量を変化させ、遠隔地無線ステーションによって送信された要求およびベースステーションによって行われ、ベースステーションのフィールド範囲における既存の無線伝送によって決定される特定の周波数範囲の監視に基づいてベースステーションによって予め決定され、変化される可変パラメータを持つ無線インターフェイスを介して伝送が行われることを特徴とする無線システムの伝送方法。
【００４０】
ベースステーションと複数の遠隔地無線ステーションの１つとの間における無線システムの１以上の多重アクセス方法にしたがって伝送する方法において、
伝送の伝送容量を変化するためにＦＤＭＡ周波数位置および、またはＣＤＭＡコードによって示され、遠隔地無線ステーションによって送信された要求およびベースステーションによって行われ、ベースステーションのフィールド範囲における既存の無線伝送によって決定された特定の周波数範囲の監視に基づいてベースステーションによって予め決定され、変化される可変パラメータにより無線インターフェイスを通って伝送が行われることを特徴とする伝送方法。
【００４１】
さらに、所望の伝送容量は遠隔地無線ステーションによって要求され、ベースステーションは特定の周波数範囲を監視することによってフリー伝送容量を決定し、最小で可能性が最少の伝送容量が占有されるように所望の伝送容量の割当てのために可変パラメータを予め決定し、変化することを特徴とする方法。
【００４２】
さらに、所望の伝送容量がフリー伝送容量より大きい場合、ベースステーションと遠隔地無線ステーションとの間において最小品質により送信しないか、或は送信するかが承認され、ベースステーションはこの最小品質を保証するために可変パラメータを予め決定することを特徴とする方法。
【図面の簡単な説明】
【００４３】
【図１】本発明による移動体無線システムの概略図。
【図２】異なる多重アクセス方法が無線伝送に対して使用されるモービル無線システムに割当てられた周波数スペクトルおよび異なる加入者に対してアレンジされる対応した無線インターフェイスパラメータを有するサービスプロフィールを示した概略図。
【図３】モービル無線システム用のベースステーションとして構成された無線ステーションの概略図。
【図４】モービル無線システム用の遠隔地ステーションとして構成された無線ステーションを示した概略図。
【図１】
2005102326.tif 000003
【図２】
2005102326.tif 000004
【図３】
2005102326.tif 000005
【図４】
2005102326.tif 000006